(57)【要約】【課題】簡単な構成によって衣類をハンガーに掛けた状態で収容可能とすることにより製造時における時間的負担、労力的負担およびコスト的負担を軽減することができる衣類用梱包箱を提供する。【解決手段】衣類用梱包箱１００は、箱体１０１を構成する各部が１枚の板状の原形プレートＯＰを屈曲させることにより構成されたＡ式の箱体で構成される。箱体１０１の底面を構成する底板１０４ａ上には板状の底側内フラップ１０６ａが設けられており、この底側内フラップ１０６ａには第１ホルダー保持部１１０および第２ホルダー保持部１２０が形成されている。第１ホルダー保持部１１０は、側板１０２ｂに沿って延びる外縁１１１上に第１引掛け部１１２を備えて底側内フラップ１０６ａから捲れるように構成される。第２ホルダー保持部１２０は、底側内フラップ１０６ａに対して捲れる方形板状に形成されるとともに繋ぎ部１２１上に第２引掛け部１２２が形成されている。【選択図】  図１
2014034409.tif 000002
【特許請求の範囲】
【請求項１】
底面および同底面を囲む側壁を有する箱体で構成されて衣類を輸送する際に使用される衣類用梱包箱であって、
前記箱体は、
前記底面上に板状の底側内フラップを有するとともに、これらの前記底面、前記側壁および前記底側内フラップがそれぞれ一体的に形成された一枚の板状体を屈曲させて成形されており、
前記底側内フラップは、
前記衣類が掛けられるハンガーのフックを掛けることができる引掛け部を有することを特徴とする衣類用梱包箱。
【請求項２】
請求項１に記載した衣類用梱包箱において、さらに、
前記底側内フラップに対して折り曲げ可能に切断されたハンガー保持部を備え、
前記引掛け部は、
前記ハンガー保持部に形成されていることを特徴とする衣類用梱包箱。
【請求項３】
請求項２に記載した衣類用梱包箱において、
前記底側内フラップは、前記底面上に少なくとも２つ設けられており、
前記ハンガー保持部は、
前記２つの底側内フラップのうちの少なくとも一方に設けられるとともに、同一方の前記底側内フラップに対して折り曲げられた際に他方の底側内フラップに達する長さに形成されていることを特徴とする衣類用梱包箱。
【請求項４】
請求項２または請求項３に記載した衣類用梱包箱において、
前記ハンガー保持部は、
前記底側内フラップに対して折り曲げられた際に縁部が前記箱体を構成する側壁の一部に隣接するように形成されており、
前記引掛け部は、前記ハンガー保持部における前記側壁に隣接する前記縁部の一部に凹状に切り欠かれて形成されていることを特徴とする衣類用梱包箱。
【請求項５】
請求項２ないし請求項４のうちのいずれか１つに記載した衣類用梱包箱において、
前記引掛け部は、さらに、
前記ハンガー保持部が形成された前記底側内フラップにも形成されていることを特徴とする衣類用梱包箱。
【発明の詳細な説明】
【技術分野】
【０００１】
本発明は、底面および同底面を囲む側壁を有する箱体で構成されて衣類の輸送する際に使用される衣類用梱包箱に関する。
【背景技術】
【０００２】
一般に、通信販売などを通じて衣類を小売りする場合においては、販売された衣類を段ボールなどの剛性を有する材料によって箱状に構成された衣類用梱包箱に収容して消費者に輸送される。この場合、衣類用梱包箱の中には、輸送中における衣類の移動を防止するため、衣類をハンガーに掛けた状態で収容することができるものがある。例えば、下記特許文献１には、衣類を収容する箱体の上面側にハンガーのフックを引っ掛けて支持するためのハンガー支持部が形成された衣類用梱包箱が開示されている。
【先行技術文献】
【特許文献】
【０００３】
【特許文献１】特開２０００−７０３１６号公報
【０００４】
しかしながら、上記特許文献１に記載された衣類用梱包箱においては、ハンガー支持部が衣類用梱包箱の上側の壁部も兼ねているため、ハンガー支持部を使用しない衣類の収容時、すなわち、ハンガーを使用しない衣類の収容時においてもハンガー支持部の組立作業が必要となり、衣類用梱包箱の組立作業が煩雑であるという問題がある。この場合、ハンガー支持部は、衣類を掛けたハンガーの安定的な支持を可能とするため２枚の段ボール材を互いに折り重ねるとともに互いに挿し込み合って一体的に構成されており、ハンガー支持部自体の成形およびハンガー支持部の組立作業に相応の時間的負担、労力的負担およびコスト的負担が伴うという問題があった。
【発明の概要】
【０００５】
本発明は上記問題に対処するためなされたもので、簡単な構成によって衣類を単独でまたはハンガーに掛けた状態で収容可能とすることにより製造時における時間的負担、労力的負担およびコスト的負担を軽減することができる衣類用梱包箱を提供することにある。
【０００６】
上記目的を達成するため、本発明の特徴は、底面および同底面を囲む側壁を有する箱体で構成されて衣類を輸送する際に使用される衣類用梱包箱であって、箱体は、底面上に板状の底側内フラップを有するとともに、これらの底面、側壁および底側内フラップがそれぞれ一体的に形成された一枚の板状体を屈曲させて成形されており、底側内フラップは、衣類が掛けられるハンガーのフックを掛けることができる引掛け部を有することにある。
【０００７】
このように構成した本発明の特徴によれば、衣類用梱包箱は、衣類を収容する箱体が底面上に板状の底側内フラップを有するとともに箱体を構成する底面、側壁および底側内フラップをそれぞれ構成する部材がそれぞれ一体的に繋がって形成された一枚の板状体を屈曲させて成形されている。すなわち、衣類用梱包箱は、１枚の板状体に箱体における各側壁が連続的に繋がって形成されるとともに、これらの各側壁における長手方向に延びる辺に箱体における底板が形成された所謂Ａ式（ミカン箱型）の箱体で構成することができる。この場合、Ａ式の箱体は、材料を最も効率的に利用できるとともに組立作業が容易な箱体と知られている一方で、箱体における上面側および底面側に不可避的に内フラップが形成される。そして、本発明に係る衣類用梱包箱は、この内フラップのうちの底面側の底側内フラップに衣類用のハンガーのフックを掛けることができる引掛け部を形成して構成されている。これにより、衣類用梱包箱は、極めて簡単な構成によって衣類を単独でまたはハンガーに掛けた状態で収容可能とすることにより、衣類を安定的に保持しつつ衣類用梱包箱の製造時における時間的負担、労力的負担およびコスト的負担を軽減することができる。なお、本発明に係る衣類用梱包箱は、Ａ式の箱体を用いることができるものであって、必ずしもＡ式の箱体で構成されることを必須とするものではない。したがって、例えば、本発明に係る衣類用梱包箱は、一般的なＡ式の箱体に設けられる箱体の上面や底面側に形成される２つの底側内フラップのうちの一方の底側内フラップを省略して構成できるものである。
【０００８】
また、本発明の他の特徴は、前記衣類用梱包箱において、さらに、底側内フラップに対して折り曲げ可能に切断されたハンガー保持部を備え、引掛け部は、ハンガー保持部に形成されていることにある。
【０００９】
このように構成した本発明の他の特徴によれば、衣類用梱包箱は、底側内フラップに対して折り曲げ可能に切断されたハンガー保持部を備えて構成されるとともに、このハンガー保持部に引掛け部が形成されている。これにより、衣類用梱包箱は、底側内フラップに形成したハンガー保持部を底側内フラップに対して折り曲げることによって底面における比較的自由な位置で底側内フラップに支持された状態で衣類を支持することができ、衣類の形態や収容の形態に応じて幅広い形態の衣類および幅広い収容形態によって衣類を安定的に収容することができる。
【００１０】
また、本発明の他の特徴は、前記衣類用梱包箱において、底側内フラップは、底面上に少なくとも２つ設けられており、ハンガー保持部は、前記２つの底側内フラップのうちの少なくとも一方に設けられるとともに、同一方の底側内フラップに対して折り曲げられた際に他方の底側内フラップに達する長さに形成されていることにある。
【００１１】
このように構成した本発明の他の特徴によれば、衣類用梱包箱は、ハンガー保持部が一方の底側内フラップに対して折り曲げられた際に他方の底側内フラップに達する長さに形成されているため、他方の底側内フラップ側に延びるハンガー保持部の先端部側をこの他方側の底側内フラップと底面との間に挿し込んで挟むことによってハンガー保持部を安定させることができる。
【００１２】
また、本発明の他の特徴は、前記衣類用梱包箱において、ハンガー保持部は、底側内フラップに対して折り曲げられた際に縁部が箱体を構成する側壁の一部に隣接するように形成されており、引掛け部は、ハンガー保持部における側壁に隣接する前記縁部の一部に凹状に切り欠かれて形成されていることにある。
【００１３】
このように構成した本発明の他の特徴によれば、衣類用梱包箱は、引掛け部が箱体の側壁に隣接配置されるハンガー保持部における縁部に形成されているため、引掛け部の開口部が箱体の側壁で塞がれることによって引掛け部からのハンガーの脱落を防止して安定的に保持することができる。
【００１４】
また、本発明の他の特徴は、前記衣類用梱包箱において、引掛け部は、さらに、ハンガー保持部が形成された底側内フラップにも形成されていることにある。
【００１５】
このように構成した本発明の他の特徴によれば、衣類用梱包箱は、引掛け部が、さらに、ハンガー保持部が形成された底側内フラップにも形成されているため、同種または異種の複数の衣類を安定的にそれぞれ収容することができる。
【図面の簡単な説明】
【００１６】
【図１】本発明に係る衣類用梱包箱の全体構成の概略を示す斜視図である。
【図２】図１に示す衣類用梱包箱を展開した状態を示す平面図である。
【図３】図１に示す衣類用梱包箱における第１ハンガー保持部および第２ハンガー保持部をそれぞれ使用可能な状態とした様子を示す斜視図である。
【図４】図１に示す衣類用梱包箱において第１ハンガー保持部を使用した状態を示す斜視図である。
【図５】図１に示す衣類用梱包箱において第２ハンガー保持部を使用した状態を示す斜視図である。
【発明を実施するための形態】
【００１７】
（衣類用梱包箱１００の構成）
以下、本発明に係る衣類用梱包箱の一実施形態について図面を参照しながら説明する。図１は、本発明に係る衣類用梱包箱１００の全体構成の概略を示す斜視図である。なお、本明細書において参照する各図は、本発明の理解を容易にするために一部の構成要素を誇張して表わすなど模式的に表している。このため、各図面間および各構成要素間の寸法や比率などは異なっていることがある。この衣類用梱包箱１００は、例えば、通信販売などを通じて衣類ＷＫを小売りする場合において、販売された衣類を収容して消費者に輸送する際に使用される中空の箱体である。また、衣類ＷＫは、身体にまとう衣服であり、例えば、スーツ、シャツ、セータ、ズボン、スカート、パンツ、コート、下着、などで洋服および和服を問わないものである。
【００１８】
衣類用梱包箱１００は、箱体１０１を備えている。箱体１０１は、衣類ＷＫが収容される箱状の容器であり、衣類ＷＫを折り畳まずにまたは折り畳んだ状態で収容可能な大きさの直方体で構成されている。この箱体１０１は、図２に示すように、１枚の板状の原形プレートＯＰを屈曲させることによって構成されている。
【００１９】
原形プレートＯＰは、箱体１０１を一体的に構成する部材であり、略長方形状の段ボール材に箱体１０１を構成する各面が形成されて構成されている。具体的には、原形プレートＯＰは、箱体１０１における４つの側壁１０２ａ〜１０２ｄが連続的に繋がって帯状に形成されるとともに、各側壁１０２ａ〜１０２ｄにおける互いに対向する長手方向の縁上にそれぞれ繋がった状態で蓋板１０３ａ，１０３ｂ、底板１０４ａ，１０４ｂ、蓋側内フラップ１０５ａ，１０５ｂおよび底側内フラップ１０６ａ，１０６ｂがそれぞれ形成されて構成されている。
【００２０】
この場合、蓋板１０３ａ，１０３ｂおよび底板１０４ａ，１０４ｂは、箱体１０１における上面および底面を構成する板状部材であり、４つの側壁１０２ａ〜１０２ｄのうち箱体１０１の長手方向の側面である所謂長さ面を構成する２つの側壁１０２ａ，１０２ｃにそれぞれ繋がった状態で形成されている。これらの蓋板１０３ａ，１０３ｂおよび底板１０４ａ，１０４ｂは、箱体１０１が組み立てられた際に、箱体１０１における上面および底面をそれぞれ半分ずつ覆って互いに突き合わされる大きさに形成されている。なお、図１において図示左端の蓋板１０３ａに示されている円形の印（円図形内に複数の縦スジが表された図形）は、段ボールを構成する中心紙の配置方向を示している。
【００２１】
蓋側内フラップ１０５ａ，１０５ｂおよび底側内フラップ１０６ａ，１０６ｂは、箱体１０１に組み付けられた際に蓋板１０３ａ，１０３ｂおよび底板１０４ａ，１０４ｂに対して箱体１０１の内側に配置される板状部材であり、４つの側壁１０２ａ〜１０２ｄのうちの箱体１０１の長さ面である２つの側壁１０２ａ，１０２ｃに直交する側面である所幅面を構成する２つの側壁１０２ｂ，１０２ｄにそれぞれ繋がった状態で形成されている。これらの蓋側内フラップ１０５ａ，１０５ｂおよび底側内フラップ１０６ａ，１０６ｂは、原形プレートＯＰの長手方向に直交する方向の長さが蓋板１０３ａ，１０３ｂおよび底板１０４ａ，１０４ｂと同じ長さでそれぞれ形成されている。
【００２２】
また、４つの側壁１０２ａ〜１０２ｄのうちの側壁１０２ａにおける図示左側端部には、同端部から張り出した状態で繋ぎ代１０７が形成されている。繋ぎ代１０７は、連続的に繋がった４つの側壁１０２ａ〜１０２ｄにおける両端を構成する側壁１０２ａと側壁１０２ｄとを互いに図示しない粘着剤によって貼り付けることによって４つの側壁１０２ａ〜１０２ｄを筒状に形成するための部分であり、側壁１０２ａにおける図示左側端部から台形状に張り出して形成されている。
【００２３】
これらの蓋板１０３ａ，１０３ｂ、底板１０４ａ，１０４ｂ、蓋側内フラップ１０５ａ，１０５ｂ、底側内フラップ１０６ａ，１０６ｂおよび繋ぎ代１０７における互いに隣接し合って繋がった境界部分（所謂クリーズおよびスコア）には、折り線１０８がそれぞれ形成されている。折り線１０８は、原形プレートＯＰを折り曲げて箱体１０１を成形する際に、各部分を折り易くするために各部分の境界部分に折り筋（切れ目や折り癖などにより軟化させる）を予め加工したものである。すなわち、本実施形態における箱体１０１は、所謂Ａ式（ミカン箱型）の箱体である。なお、図２においては、折り線１０８は、破線で示している。
【００２４】
そして、箱体１０１を構成する２つの底側内フラップ１０６ａ，１０６ｂのうちの底側内フラップ１０６ａには、第１ハンガー保持部１１０および第２ハンガー保持部１２０がそれぞれ形成されている。第１ハンガー保持部１１０は、箱体１０１内に収容される衣類ＷＫを一般的なハンガーＨＧを介して支持する部分であり、底側内フラップ１０６ａに対して一部が繋がった状態で切り抜かれて構成されている。より具体的には、ハンガー保持部１１０は、底側内フラップ１０６ａを切断することにより形成された外縁１１１、側縁１１３，１１４および内縁１１５と、そこ側内フラップ１０６ａに折り筋として形成された繋ぎ部１１６とで構成されている。なお、図１および図２においては、繋ぎ部１１６は、それぞれ破線で示している。
【００２５】
これらのうち、外縁１１１は、ハンガー保持部１１０を底側内フラップ１０６ａから折り曲げて使用する際に側壁１０２ｃに対して近接した位置に対向配置される部分であり、底側内フラップ１０６ａにおける側壁１０２ｂ側の領域に同側壁１０２ｂに沿って平行に延びて形成されている。この外縁１１１における中央部には、第１引掛け部１１２が形成されている。第１引掛け部１１２は、衣類ＷＫを掛けるハンガーＨＧのフックが着脱自在に掛けられる部分であり、凹状（略Ｕ字状）に切り欠かれて形成されている。
【００２６】
側縁１１３，１１４は、外縁１１１の両端部から底側内フラップ１０６ａの先願部側に外縁１１１に対して直交する方向に直線状に延びて形成されている。この場合、本実施形態においては、側縁１１３は、側縁１１４に比べて若干長く形成されている。内縁１１５は、側縁１１３の端部と後述する繋ぎ部１１６の端部とを互いに結ぶ平面視で斜め方向に延びる直線で構成されている。すなわち、第１ハンガー保持部１１０は、側縁１１３側よりも底側内フラップ１０６ａに繋がった側の部分が幅広に形成されている。
【００２７】
一方、繋ぎ部１１６は、第１ハンガー保持部１１０が底側内フラップ１０６ａに対して分離することなく繋がった状態を維持する部分であり、側縁１１４の端部と内縁１１５の端部との間に形成されている。また、繋ぎ部１１６は、第１ハンガー保持部１１０を折り曲げて使用する際に第１ハンガー保持部１１０を底側内フラップ１０６ａに嵌め込まれた状態から９０°だけ向きを変えて外縁１１１が側壁１０２ｃに対して平行に隣接配置されるように形成されている。具体的には、繋ぎ部１１６は、側縁１１４の端部と内縁１１５の端部とを結ぶ直線が側壁１０２ｃの長手方向に対して略４５°の角度で傾斜して延びる直線状の折り筋によって構成されている。
【００２８】
この第１ハンガー保持部１１０の長さは、第１ハンガー保持部１１０を折り曲げて使用する際に、第１ハンガー保持部１１０における側縁１１３側の先端部が底側内フラップ１０６ａに対向配置される底側内フラップ１０６ｂに届く長さ以上の長さで形成されている。また、第１ハンガー保持部１１０における長手方向の中央部には、第１引掛け部１１２と内縁１１５との間に折り線１１７が形成されている。折り線１１７は、第１ハンガー保持部１１０の中央部を折り曲げ易くすることにより第１ハンガー保持部１１０における側縁１１３側の先端部を底側内フラップ１０６ｂの下方に挿し込み易くするための折り筋である。なお、図１ないし図３においては、折り線１１７は、それぞれ破線で示している。
【００２９】
また、底側内フラップ１０６ａにおける第１ハンガー保持部１１０における第１引掛け部１１２に隣接する外縁１１１上には、第２ハンガー保持部１２０が形成されている。第２ハンガー保持部１２０は、箱体１０１内に収容される衣類ＷＫを第１ハンガー保持部１１０とは異なる向きでハンガーＨを介して支持する部分であり、底側内フラップ１０６ａに対して一部が繋がった状態で切り抜かれて形成されている。より具体的には、第２ハンガー保持部１１０は、側壁１０２ａ側に向かって捲れる方形状に形成されている。この第２ハンガー保持部１２０には、底側内フラップ１０６ａと繋がった境界部分に折り筋で構成された繋ぎ部１２１および第２引掛け部１２２がそれぞれ形成されている。
【００３０】
繋ぎ部１２１は、第２ハンガー保持部１２０が底側内フラップ１０６ａに対して分離することなく繋がった状態を維持するとともに第２ハンガー保持部１２０を底側内フラップ１０６ａに対して屈曲させるための部分であり、側壁１０２ｂに対して平行に形成されている。また、第２引掛け部１２２は、衣類ＷＫを掛けるハンガーＨＧのフックが着脱自在に掛けられる部分であり、繋ぎ部１２２上に線状の２つの切れ込みがクロスして形成されている。
【００３１】
（衣類用梱包箱１００の作動）
次に、上記のように構成した衣類用梱包箱１００の作動について説明する。まず、この衣類用梱包箱１００を利用するユーザは、衣類用梱包箱１００を組み立てる。具体的には、ユーザは、原形プレートＯＰを用意した後、原形プレートＯＰに形成された折り線１０８に沿って各部を折り曲げる。この場合、ユーザは、繋ぎ代１０７に接着剤を塗布して側壁１０２ｄの端部に貼り付けることにより原形プレーＯＰを筒状に形成する。
【００３２】
次に、ユーザは、底側内フラップ１０６ａ，１０６ｂを筒状に形成された原形プレートＯＰの内側に向けてそれぞれ折り曲げた後、更に底板１０４ａ，１０４ｂを底側内フラップ１０６ａ，１０６ｂに向かってそれぞれ折り曲げる。そして、ユーザは、互いに突き合った状態の底板１０４ａ，１０４ｂの端部同士をガムテープなどの粘着テープを用いて連結して固定する。これにより、ユーザは、蓋板１０３ａ，１０３ｂおよび蓋側内フラップ１０５ａ，１０５ｂがそれぞれ開口した状態の箱体１０１を組み立てることができる（図１参照）。なお、底板１０４ａ，１０４ｂの固定は、粘着テープのほか、鋲止めや底板１０４ａ，１０４ｂと蓋側内フラップ１０５ａ，１０５ｂとを接着剤を用いて第１ハンガー保持部１１０および第２ハンガー保持部１２０の使用に支障を来さない範囲で互いに接着することにより固定することもできる。
【００３３】
次に、ユーザは、箱体１０１内に衣類ＷＫを収容する。この場合、ユーザは、第１ハンガー保持部１１０または第２ハンガー保持部１２０を用いることにより、衣類ＷＫをハンガーＨＧに掛けた状態で収容することができる。第１ハンガー保持部１１０を用いて衣類ＷＫを収容する場合、ユーザは、図３に示すように、第１ハンガー保持部１１０を使用可能な状態にする。具体的には、ユーザは、箱体１０１における底板１０４ａ上に配置されている底側内フラップ１０６ａから第１ハンガー保持部１１０を捲って起立させるとともに底側内フラップ１０６ｂ側に折り返した後、第１ハンガー保持部１１０における側縁１１３側の先端部を底側内フラップ１０６ｂと底板１０４ｂとの間に挿し込む。この場合、ユーザは、繋ぎ部１１６に形成された折り筋および折り線１１７に沿って第１ハンガー保持部１１０を折り曲げることにより第１ハンガー保持部１１０を容易に底側内フラップ１０６ｂ側に折り曲げることができるとともに、側縁１１３側の先端部を底側内フラップ１０６ｂと底板１０４ｂとの間に挿し込むことができる。これにより、ユーザは、第１ハンガー保持部１１０を使用可能な状態にすることができる。
【００３４】
次に、ユーザは、第１ハンガー保持部１１０が使用可能となった箱体１０１内に衣類ＷＫを収容する。具体的には、ユーザは、衣類ＷＫを一般的なハンガーＨＧに掛けた状態で箱体１０１に納めるとともに、ハンガーＨＧのフックを第１ハンガー保持部１１０に形成された第１引掛け部１１２に掛ける。これにより、ユーザは、箱体１０１内において衣類ＷＫを第１ハンガー保持部１１０に支持させた状態で収容することができる。なお、図４においては、男性用スーツの上着を衣類ＷＫとしてハンガーＨＧに掛けるとともにこの衣類ＷＫを２つ折りにした状態で箱体１０１内に収容した状態を示している。
【００３５】
次に、ユーザは、衣類ＷＫを収容した箱体１０１を閉じて梱包する。具体的には、ユーザは、蓋側内フラップ１０５ａ，１０５ｂを箱体１０１の内側に向けてそれぞれ折り曲げた後、更に蓋板１０３ａ，１０３ｂを蓋側内フラップ１０５ａ，１０５ｂに向かってそれぞれ折り曲げる。そして、ユーザは、互いに突き合った状態の蓋板１０３ａ，１０３ｂの端部同士をガムテープなどの粘着テープを用いて連結して固定する。これにより、ユーザは、衣類ＷＫを収容した箱体１０１を閉じて梱包することができる。
【００３６】
そして、衣類ＷＫを梱包した衣類用梱包箱１００は、そのままの状態で、または更に包装紙などに包まれた状態で輸送に供される。この場合、衣類用梱包箱１００における第１ハンガー保持部１１０は、一方の端部が底側内フラップ１０６ａに繋がっているとともに他方の端部が底側内フラップ１０６ｂに抑えられて固定されているため、衣類ＷＫを安定的に保持することができる。また、第１ハンガー保持部１１０は、外縁１１１が側壁１０２ｂに対して近接した位置に隣接配置されるため、ハンガーＨＧのフックが掛けられた第１引掛け部１１２の開口部分が側壁１０２ｂによって閉じられるためハンガーＨＧが第１引掛け部１１２から離脱することが防止される。これらにより、衣類用梱包箱１００内に収容された衣類ＷＫは、衣類用梱包箱１００内において収容された当初の状態が維持しながら輸送される。
【００３７】
一方、ユーザは、第２ハンガー保持部１２０を用いて衣類ＷＫを箱体１０１内に収容することもできる。この場合、ユーザは、図５に示すように、第２ハンガー保持部１２０を使用可能な状態にする。具体的には、ユーザは、箱体１０１における底板１０４ａ上に配置されている底側内フラップ１０６ａから第２ハンガー保持部１２０を起立させる。この場合、ユーザは、繋ぎ部１２１に形成された折り筋に沿って第２ハンガー保持部１２０を折り曲げることにより第２ハンガー保持部１２０を容易に起立させることができる。これにより、ユーザは、繋ぎ部１２２上に２つの線状の切れ込みがクロスして形成された第２引掛け部１２２を開口させて第２ハンガー保持部１２０を使用可能な状態にすることができる。
【００３８】
次に、ユーザは、第２ハンガー保持部１２０が使用可能となった箱体１０１内に衣類ＷＫを収容する。具体的には、ユーザは、衣類ＷＫをハンガーＨＧに掛けた状態で箱体１０１に納めるとともに、ハンガーＨＧのフックを第２ハンガー保持部１２０における引掛け部１２２に掛ける。これにより、ユーザは、箱体１０１内において衣類ＷＫを第２ハンガー保持部１２０に支持させた状態で収容することができる。なお、図５においては、男性用スーツの上着を衣類ＷＫとしてハンガーＨＧに掛けて衣類ＷＫを折り畳まずにそのままの状態で箱体１０１内に収容した状態を示している。
【００３９】
次に、ユーザは、前記と同様にして衣類ＷＫを収容した箱体１０１を閉じて梱包した後、この衣類用梱包箱１００をそのままの状態でまたは包装紙などに包まれた状態で輸送する。この場合、衣類用梱包箱１００における第２ハンガー保持部１２０は、底側内フラップ１０６ａに繋がって固定されているため、衣類ＷＫを安定的に保持することができる。また、第２ハンガー保持部１２０は、引掛け部１２２が孔状に形成されているため、ハンガーＨＧの引掛け部１２２からの離脱が防止される。これらにより、衣類用梱包箱１００内に収容された衣類ＷＫは、衣類用梱包箱１００内において収容された当初の状態が維持しながら輸送される。なお、この衣類用梱包箱１００は、第１ハンガー保持部１１０および第２ハンガー保持部１２０を共に利用せず、衣類ＷＫを折り畳まない状態で、または折り畳んだ状態で収容することもできる。
【００４０】
次に、衣類用梱包箱１００から衣類ＷＫを取り出す場合においては、ユーザは、蓋板１０３ａ，１０３ｂおよび蓋側内フラップ１０５ａ，１０５ｂを開いた後、第１引掛け部１１２または第２引掛け部１２２からハンガーＨＧのフックを外すことにより衣類ＷＫを箱体１０１内から取り出すことができる。衣類ＷＫが取り出された箱体１０１は、廃棄することができるほか、衣類用梱包箱１００として再使用することもできる。これらの場合、ユーザは、第１ハンガー保持部１１０および第２ハンガー保持部１２０をそれぞれ底側内フラップ１０６ａ内に埋め込んで再び格納状態にすることができる。
【００４１】
上記作動説明からも理解できるように、上記実施形態によれば、衣類用梱包箱１００は、衣類を収容する箱体１０１が底面上に板状の底側内フラップ１０６ａを有するとともに箱体１０１を構成する各部材がそれぞれ一体的に繋がって形成された一枚の板状の原形プレートＯＰを屈曲させて成形されている。すなわち、所謂Ａ式（ミカン箱型）の箱体で構成されている。このため、衣類用梱包箱１００は、極めて簡単な構成によって衣類ＷＫを単独でまたはハンガーＨＧに掛けた状態で収容可能とすることにより、衣類ＷＫを安定的に保持しつつ衣類用梱包箱１００の製造時における時間的負担、労力的負担およびコスト的負担を軽減することができる。
【００４２】
さらに、本発明の実施にあたっては、上記実施形態に限定されるものではなく、本発明の目的を逸脱しない限りにおいて種々の変更が可能である。
【００４３】
例えば、上記実施形態においては、衣類用梱包箱１００は、箱体１０１をＡ式の箱体で構成した。しかし、衣類用梱包箱１００は、箱体１０１は、箱体１０１の底面上に板状の底側内フラップ１０６ａを有するとともに、箱体１０１を構成する底面、側壁および底側内フラップ１０６ａがそれぞれ一体的に形成された一枚の板状体を屈曲させて成形することができれば、上記実施形態に限定されるものではない。すなわち、本発明に係る衣類用梱包箱１００は、必ずしもＡ式の箱体で構成されることを必須とするものではない。したがって、例えば、衣類用梱包箱１００は、一般的なＡ式の箱体に設けられる蓋板１０３ａ，１０３ｂ、蓋側内フラップ１０５ａ，１０５ｂの全部または一部を省略して構成できるとともに、２つの底側内フラップ１０６ａ，１０６ｂのうちの一方の底側内フラップ１０６ａ，１０６ｂを省略して構成することもできる。また、箱体１０１を構成する各部、例えば、側板１０２ａ〜１０２ｂ、蓋板１０３ａ，１０３ｂ、底板１０４ａ，１０４ｂ、蓋側内フラップ１０５ａ，１０５ｂ、底側内フラップ１０６ａ，１０６ｂの形状および大きさもそれぞれ適宜決定されるものである。すなわち、箱体１０１の大きさや形状は、直方体に限られず、例えば、立方体のほか各種多面体や円柱体であってもよい。
【００４４】
また、上記実施形態においては、第１引掛け部１１２が第１ハンガー保持部１１０に形成されるとともに、第２引掛け部１２２が第２ハンガー保持部１２０と底側内フラップ１０６ａとの境界部分に形成されている。しかし、第１引掛け部１１２および第２引掛け部１２２からなる引掛け部は、底側内フラップ１０６ａ，１０６ｂ内のいずれかの位置に少なくとも１つ以上形成されていればよい。この場合、衣類用梱包箱１００は、複数の引掛け部を備えることにより、１つの衣類用梱包箱１００において複数の衣類ＷＫおよび／または複数種類の衣類ＷＫを保持して収容することができる。すなわち、上記実施形態においては、第１引掛け部１１２および第２引掛け部１２２にそれぞれ同種または異種の衣類ＷＫを保持させて収容させることもできる。
【００４５】
また、上記実施形態においては、第１ハンガー保持部１１０および第２ハンガー保持部１２０を底側内フラップ１０６ａに形成した。しかし、第１ハンガー保持部１１０および第２ハンガー保持部１２０からなるハンガー保持部は、必要に応じて設ければよく、全く省略することができるとともに、３つ以上のハンガー保持部を底側内フラップ１０６ａ，１０６ｂに形成することもできる。
【００４６】
また、上記実施形態においては、箱体１０１は、段ボール材で構成した。しかし、箱体１０１は、段ボール以外の紙材（例えば、ボール紙）や紙材以外の材料（例えば、樹脂材）などを用いて構成することもできる。
【００４７】
ＷＫ…衣類、ＨＧ…ハンガー、ＯＰ…原形プレート
１００…衣類用梱包箱、１０１…箱体、１０２ａ〜１０２ｄ…側壁、１０３ａ，１０３ｂ…蓋板、１０４ａ，１０４ｂ…底板、１０５ａ，１０５ｂ…蓋側内フラップ、１０６ａ，１０６ｂ…底側内フラップ、１０７…繋ぎ代、１０８…折り線、
１１０…第１ハンガー保持部、１１１…外縁、１１２…第１引掛け部、１１３，１１４…側縁、１１５…内縁、１１６…繋ぎ部、１１７…折り線、
１２０…第２ハンガー保持部、１２１…繋ぎ部、１２２…第２引掛け部。
【図１】
2014034409.tif 000003
【図２】
2014034409.tif 000004
【図３】
2014034409.tif 000005
【図４】
2014034409.tif 000006
【図５】
2014034409.tif 000007